【手続補正書】
【提出日】平成16年3月17日(2004.3.17)
【手続補正１】
【補正対象書類名】明細書
【補正対象項目名】発明の名称
【補正方法】変更
【補正の内容】
【発明の名称】起動回路及び半導体集積回路
【手続補正２】
【補正対象書類名】明細書
【補正対象項目名】特許請求の範囲
【補正方法】変更
【補正の内容】
【特許請求の範囲】
【請求項１】
高電位及び低電位電源から電力を受け取って動作する起動回路において、
所定範囲内の閾値を有するトランジスタを含む起動信号生成回路であって、前記トランジスタは制御電圧を受け取り、高電位電源電圧が立ち上がりを開始してから前記制御電圧が前記トランジスタの閾値となるまで起動信号を生成する前記起動信号生成回路と、
高電位及び低電位電源の電圧を分圧して前記制御電圧を生成する制御電圧生成回路と、
前記トランジスタのゲートと前記制御電圧生成回路との間に接続され、複数のスイッチ素子を含む補正回路であって、前記トランジスタの閾値に従って前記制御電圧を補正する前記補正回路と、
前記トランジスタに接続され、前記トランジスタからの起動信号を波形整形して波形整形された起動信号を生成する波形整形回路とを備えることを特徴とする起動回路。
【請求項２】
請求項１に記載の起動回路において、前記補正回路は、
高電位電源と低電位電源との間に直列に接続された複数の抵抗を含み、前記複数のスイッチ素子は前記複数の抵抗によって生成された分圧電圧及び前記制御電圧生成回路の前記制御電圧のうちの一つを選択し、選択された電圧を前記制御電圧として前記トランジスタに供給することを特徴とする起動回路。
【請求項３】
請求項２に記載の起動回路において、前記複数の抵抗は３個の抵抗を含み、前記複数のスイッチ素子は、
前記制御電圧生成回路と前記トランジスタとの間に接続された第１のスイッチ素子と、
第１及び第２抵抗間の第１の接続点と第２及び第３抵抗間の第２の接続点との間に直列に接続された第２及び第３のスイッチ素子と、
前記トランジスタと前記第２及び第３のスイッチ素子間の第３の接続点との間に接続されたスイッチ回路とを含むことを特徴とする起動回路。
【請求項４】
請求項３に記載の起動回路において、前記各スイッチ素子はヒューズを含み、前記分圧電圧及び前記制御電圧のうちの一つはそのヒューズを切断することにより選択されることを特徴とする起動回路。
【請求項５】
請求項１に記載の起動回路において、前記制御電圧生成回路は、高電位電源と低電位電源との間に直列に接続された第１の複数の抵抗を含み、
前記補正回路は、
高電位電源と低電位電源との間に直列に接続された３個の抵抗を含む第２の複数の抵抗と、ここで、前記複数のスイッチ素子が前記制御電圧生成回路と前記トランジスタとの間に接続された第１のスイッチ素子と、第１及び第２抵抗間の第１の接続点と第２及び第３抵抗間の第２の接続点との間に直列に接続された第２及び第３のスイッチ素子とを含むものであり、
前記トランジスタと前記第２及び第３のスイッチ素子間の第３の接続点との間に接続されたスイッチ回路とを含むことを特徴とする起動回路。
【請求項６】
請求項５に記載の起動回路において、前記各スイッチ素子はヒューズを含み、前記第２の複数の抵抗の抵抗値の比は前記第２及び第３のスイッチ素子のヒューズを切断することにより変更されることを特徴とする起動回路。
【請求項７】
請求項１に記載の起動回路において、前記制御電圧生成回路は複数の分圧電圧を生成し、前記複数のスイッチ素子は前記制御電圧生成回路によって生成された分圧電圧のうちの一つを選択し、選択された分圧電圧を前記制御電圧として前記トランジスタに供給することを特徴とする起動回路。
【請求項８】
請求項７に記載の起動回路において、前記複数の分圧電圧は３つの分圧電圧を含み、前記複数のスイッチ素子は、
第１の分圧電圧を前記トランジスタに選択的に供給する第１のスイッチ素子と、
第２の分圧電圧を前記トランジスタに選択的に供給する第２のスイッチ素子と、
第３の分圧電圧を前記トランジスタに選択的に供給する第３のスイッチ素子とを含むことを特徴とする起動回路。
【請求項９】
請求項８に記載の起動回路において、前記各スイッチ素子はヒューズを含み、前記分圧電圧のうちの一つはそのヒューズを切断することにより選択されることを特徴とする起動回路。
【請求項１０】
請求項１に記載の起動回路において、前記制御電圧生成回路は高電位電源と低電位電源との間に直列に接続された４つの抵抗を含む第１の複数の抵抗を有するものであり、前記複数のスイッチ素子は、
前記トランジスタと第１及び第２の抵抗間の第１の接続点との間に接続された第１のスイッチ素子と、
前記トランジスタと第２及び第３の抵抗間の第２の接続点との間に接続された第２のスイッチ素子と、
前記トランジスタと第３及び第４の抵抗間の第３の接続点との間に接続された第３のスイッチ素子とを含むことを特徴とする起動回路。
【請求項１１】
半導体集積回路において、
高電位及び低電位電源から電力を受け取って動作する起動回路であって、
所定範囲内の閾値を有するトランジスタを含む起動信号生成回路であって、前記トランジスタは制御電圧を受け取り、高電位電源電圧が上昇を開始してから前記制御電圧が前記トランジスタの閾値となるまで起動信号を生成する前記起動信号生成回路と、
高電位及び低電位電源の電圧を分圧して前記制御電圧を生成する制御電圧生成回路と、
前記トランジスタのゲートと前記制御電圧生成回路との間に接続され、複数のスイッチ素子を含む補正回路であって、前記トランジスタの閾値に従って前記制御電圧を補正する前記補正回路と、
前記トランジスタに接続され、前記トランジスタからの起動信号を波形整形して波形整形された起動信号を生成する波形整形回路とを含む前記起動回路と、
前記波形整形回路に接続され、前記波形整形された起動信号に応答して初期動作を行う内部回路とを備えることを特徴とする半導体集積回路。
【請求項１２】
請求項１１に記載の半導体集積回路において、前記補正回路は、前記制御電圧が前記トランジスタの閾値まで上昇するタイミングが前記内部回路の初期動作が完了するタイミングよりも後になるように制御電圧を補正する特徴とする半導体集積回路。
【手続補正３】
【補正対象書類名】明細書
【補正対象項目名】００１３
【補正方法】変更
【補正の内容】
【００１３】
本発明は上記問題点を解決するためになされたものであって、その目的はプロセスのばらつきによるトランジスタの特性のばらつきに応じてチップ毎に最適な起動信号を生成することができる起動回路及び半導体集積回路を提供することにある。


【手続補正４】
【補正対象書類名】明細書
【補正対象項目名】００１４
【補正方法】変更
【補正の内容】
【００１４】
【課題を解決するための手段】
請求項１に記載の発明によれば、トランジスタのゲートと制御電圧生成回路との間に接続され、複数のスイッチ素子を含む補正回路にて、トランジスタの閾値に従って制御電圧が補正される。
【手続補正５】
【補正対象書類名】明細書
【補正対象項目名】００１５
【補正方法】変更
【補正の内容】
【００１５】
請求項２に記載の発明によれば、複数のスイッチ素子にて複数の抵抗によって生成された分圧電圧及び制御電圧生成回路の制御電圧のうちの一つが選択され、選択された電圧が制御電圧としてトランジスタに供給される。
【手続補正６】
【補正対象書類名】明細書
【補正対象項目名】００１６
【補正方法】変更
【補正の内容】
【００１６】
請求項３に記載の発明によれば、制御電圧生成回路とトランジスタとの間に接続された第１のスイッチ素子と、第１及び第２抵抗間の第１の接続点と第２及び第３抵抗間の第２の接続点との間に直列に接続された第２及び第３のスイッチ素子と、トランジスタと第２及び第３のスイッチ素子間の第３の接続点との間に接続されたスイッチ回路とを含む複数のスイッチ素子にて、３個の（第１〜第３）抵抗によって生成された分圧電圧及び制御電圧生成回路の制御電圧のうちの一つが選択され、選択された電圧が制御電圧としてトランジスタに供給される。
【手続補正７】
【補正対象書類名】明細書
【補正対象項目名】００１７
【補正方法】変更
【補正の内容】
【００１７】
請求項４に記載の発明によれば、請求項３に記載の起動回路において、分圧電圧及び制御電圧のうちの一つはそのヒューズが切断されることにより選択される。
【手続補正８】
【補正対象書類名】明細書
【補正対象項目名】００１８
【補正方法】変更
【補正の内容】
【００１８】
請求項５に記載の発明によれば、高電位電源と低電位電源との間に直列に接続された第１の複数の抵抗を含む制御電圧生成回路にて制御電圧が生成される。高電位電源と低電位電源との間に直列に接続された３個の（第１〜第３）抵抗を含む第２の複数の抵抗と、制御電圧生成回路とトランジスタとの間に接続された第１のスイッチ素子と、第１及び第２抵抗間の第１の接続点と第２及び第３抵抗間の第２の接続点との間に直列に接続された第２及び第３のスイッチ素子と、トランジスタと第２及び第３のスイッチ素子間の第３の接続点との間に接続されたスイッチ回路とを含む補正回路にて制御電圧が補正される。
【手続補正９】
【補正対象書類名】明細書
【補正対象項目名】００１９
【補正方法】変更
【補正の内容】
【００１９】
請求項６に記載の発明によれば、請求項５に記載の起動回路において、第２の複数の抵抗の抵抗値の比は第２及び第３のスイッチ素子のヒューズが切断されることにより変更される。
【手続補正１０】
【補正対象書類名】明細書
【補正対象項目名】００２０
【補正方法】変更
【補正の内容】
【００２０】
請求項７に記載の発明によれば、制御電圧生成回路にて複数の分圧電圧が生成され、複数のスイッチ素子にて制御電圧生成回路によって生成された分圧電圧のうちの一つが選択され、選択された分圧電圧が制御電圧としてトランジスタに供給される。
【手続補正１１】
【補正対象書類名】明細書
【補正対象項目名】００２１
【補正方法】変更
【補正の内容】
【００２１】
請求項８に記載の発明によれば、制御電圧生成回路にて３つの（第１〜第３の）分圧電圧が生成され、第１〜第３のスイッチ素子にて制御電圧生成回路によって生成された３つの（第１〜第３の）分圧電圧のうちの一つが選択され、選択された分圧電圧が制御電圧としてトランジスタに供給される。
【手続補正１２】
【補正対象書類名】明細書
【補正対象項目名】００２２
【補正方法】変更
【補正の内容】
【００２２】
請求項９に記載の発明によれば、請求項８に記載の起動回路において、分圧電圧のうちの一つはそのヒューズが切断されることにより選択される。
【手続補正１３】
【補正対象書類名】明細書
【補正対象項目名】００２３
【補正方法】変更
【補正の内容】
【００２３】
請求項１０に記載の発明によれば、高電位電源と低電位電源との間に直列に接続された４つの（第１〜第４）抵抗を含む第１の複数の抵抗を有する制御電圧生成回路にて制御電圧が生成される。トランジスタと第１及び第２の抵抗間の第１の接続点との間に接続された第１のスイッチ素子と、トランジスタと第２及び第３の抵抗間の第２の接続点との間に接続された第２のスイッチ素子と、トランジスタと第３及び第４の抵抗間の第３の接続点との間に接続された第３のスイッチ素子とを含む補正回路にて、制御電圧が補正される。
【手続補正１４】
【補正対象書類名】明細書
【補正対象項目名】００２４
【補正方法】変更
【補正の内容】
【００２４】
請求項１１に記載の発明によれば、半導体集積回路において、トランジスタのゲートと制御電圧生成回路との間に接続され、複数のスイッチ素子を含む補正回路にて、トランジスタの閾値に従って制御電圧が補正される。
【手続補正１５】
【補正対象書類名】明細書
【補正対象項目名】００２５
【補正方法】変更
【補正の内容】
【００２５】
請求項１２に記載の発明によれば、補正回路にて、制御電圧がトランジスタの閾値まで上昇するタイミングが内部回路の初期動作が完了するタイミングよりも後になるように制御電圧が補正される。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００７９
【補正方法】変更
【補正の内容】
【００７９】
【発明の効果】
以上詳述したように、請求項１乃至１０の発明によれば、プロセスのばらつきによるトランジスタの特性のばらつきに応じて最適な起動信号を生成することができる起動回路を提供することができる。


【手続補正１９】
【補正対象書類名】明細書
【補正対象項目名】００８０
【補正方法】変更
【補正の内容】
【００８０】
請求項１１及び１２に記載の発明によれば、プロセスのばらつきによりトランジスタの特性がばらついても、内部回路が正常に初期セットされる半導体集積回路を提供することができる。